(57)【要約】【課題】対物レンズ側が汚れてしまうことによって観察機能が損なわれた際に観察機能を回復させたい場合や、観察中に状況・用途に応じて双眼ルーペの光学特性を変更させたい場合に、短時間で対処しやすい医療用の双眼ルーペを提供する。【解決手段】ブラケット２０と、ブラケット２０に取り付けられた一対のレンズ鏡筒３０と、一対のレンズ鏡筒３０に対応させた２つのレンズ４１が形成されており、使用時に一対のレンズ鏡筒３０の観察対象側を覆うように、ブラケット２０に着脱自在に取り付けられたプレートルーペ４０とを備える医療用の双眼ルーペ１０とする。【選択図】図１
2019184805.tif 000002
【特許請求の範囲】
【請求項１】
観察対象を拡大観察するために用いられる医療用の双眼ルーペであって、
ブラケットと、
前記ブラケットに取り付けられた一対のレンズ鏡筒と、
前記一対のレンズ鏡筒に対応させた２つのレンズが形成されており、使用時に前記一対のレンズ鏡筒の前記観察対象側を覆うように、前記ブラケットに着脱自在に取り付けられたプレートルーペとを備えることを特徴とする双眼ルーペ。
【請求項２】
前記ブラケットは、
前記一対のレンズ鏡筒を取り付けるためのレンズ鏡筒取付部と、
前記プレートルーペを取り付けるためのプレートルーペ取付部と、
前記レンズ鏡筒取付部と前記プレートルーペ取付部とを繋ぐ繋ぎ部とを有し、
前記プレートルーペの使用位置と退避位置とを切り換えるためのプレートルーペ位置切り換え機構が前記プレートルーペ取付部と前記繋ぎ部とを含み構成されていることを特徴とする請求項１に記載の双眼ルーペ。
【請求項３】
前記プレートルーペの前記観察対象側の周辺部の少なくとも一部を覆った時に、当該周辺部の一部の視野を外側に広げる視野変更部材と、
前記一対のレンズ鏡筒の少なくともいずれかのレンズ鏡筒または前記ブラケットに取り付けられて前記視野変更部材を使用位置と退避位置とを切り換え可能に支持する視野変更部材支持具とをさらに備えることを特徴とする請求項１または２に記載の双眼ルーペ。
【請求項４】
前記視野変更部材は、プリズムであることを特徴とする請求項３に記載の双眼ルーペ。
【請求項５】
前記プリズムは、フレネルタイプのプリズムプレートであることを特徴とする請求項４に記載の双眼ルーペ。
【請求項６】
前記プレートルーペの前記観察対象側を覆った時に、前記双眼ルーペの拡大倍率を変更する第２プレートルーペと、
前記一対のレンズ鏡筒の少なくともいずれかのレンズ鏡筒または前記ブラケットに取り付けられて前記第２プレートルーペを使用位置と退避位置とを切り換え可能に支持する第２プレートルーペ支持具とをさらに備えることを特徴とする請求項１または２に記載の双眼ルーペ。
【請求項７】
前記プレートルーペは、前記２つのレンズの境界部に切り欠きまたは穴が形成されていることを特徴とする請求項１〜６のいずれかに記載の双眼ルーペ。
【請求項８】
前記ブラケットは、直接的または間接的に、照明機器または撮像機器を前記観察対象に向けて取り付けるための機器取付部が形成されていることを特徴とする請求項１〜７のいずれかに記載の双眼ルーペ。
【請求項９】
スタンドと、
１または複数の関節を有し、前記スタンドに取り付けられて先端部を使用者の所望の位置に移動自在に構成されたアームと、
前記アームの先端部に保持されたアームステーと、
前記アームステーに前記ブラケットが固定された双眼ルーペとを備える双眼ルーペ装置であって、
前記双眼ルーペは、請求項１〜８のいずれかに記載の双眼ルーペであることを特徴とする双眼ルーペ装置。
【請求項１０】
前記双眼ルーペに取り付けられる照明機器または撮像機器をさらに備え、
前記アームは、前記照明機器または撮像機器の電気ケーブルを挿通可能な中空の配線挿通部を有することを特徴とする請求項９に記載の双眼ルーペ装置。
【請求項１１】
前記双眼ルーペに取り付けられる照明機器または撮像機器をさらに備え、
前記アームは、当該アームに沿わして前記照明機器または撮像機器の電気ケーブルを固定可能な配線固定部を有することを特徴とする請求項９に記載の双眼ルーペ装置。
【発明の詳細な説明】
【技術分野】
【０００１】
本発明は、双眼ルーペおよび当該双眼ルーペを備える双眼ルーペ装置に関する。
【背景技術】
【０００２】
医科・眼科・歯科治療、外科手術等の医療現場において、医療用ルーペ、サージカルルーペ、サージテルルーペ等と呼ばれる双眼ルーペが活用されている。双眼ルーペを活用することにより、通常の裸眼の状態（純粋に裸眼の状態に限らず、コンタクトレンズまたは眼鏡を着用している状態を含む。）であれば詳しく観察できないような狭く微細な部位であっても、当該部位を拡大して詳しく観察することができる（例えば、特許文献１参照。）。
【０００３】
図８は、従来の双眼ルーペ９１０を説明するための斜視図である。
従来の双眼ルーペ９１０は、図８に示すように、ブラケット９２０と、ブラケット９２０に取り付けられた左右一対のレンズ鏡筒９３０Ｌ，９３０Ｒとを有する。使用者は、レンズ鏡筒９３０Ｌ，９３０Ｒを接眼レンズ９３２Ｌ，９３２Ｒ側から覗くことで、対物レンズ９３３Ｌ，９３３Ｒ側にある観察対象を所定の範囲において拡大観察することができる。
【先行技術文献】
【特許文献】
【０００４】
【特許文献１】特開２００５−２５７８０２号公報
【発明の概要】
【発明が解決しようとする課題】
【０００５】
ところで、医療現場において、双眼ルーペは、体液や薬液等の飛沫で対物レンズ側が汚れてしまうことによって観察機能が損なわれる場合がある。また、観察中に状況・用途に応じて双眼ルーペの光学特性を変更させたい場合がある。
【０００６】
しかしながら、従来の双眼ルーペ９１０は、レンズ枠９３１Ｌ，９３１Ｒにそれぞれ押さえ部品等で固定されている対物レンズ９３３Ｌ，９３３Ｒをそれぞれ交換する必要があるため、短時間で対物レンズ９３３Ｌ，９３３Ｒを交換することが困難である。このため、従来の双眼ルーペ９１０は、対物レンズ側が汚れてしまうことによって観察機能が損なわれた際に観察機能を回復させたい場合や、観察中に状況・用途に応じて双眼ルーペの光学特性を変更させたい場合に、短時間で対処し難いという問題がある。
【０００７】
そこで、本発明は、上記した問題を解決するためになされたもので、対物レンズ側が汚れてしまうことによって観察機能が損なわれた際に観察機能を回復させたい場合や、観察中に状況・用途に応じて双眼ルーペの光学特性を変更させたい場合に、短時間で対処しやすい医療用の双眼ルーペを提供することを目的とする。
【課題を解決するための手段】
【０００８】
［１］本発明の双眼ルーペは、観察対象を拡大観察するために用いられる医療用の双眼ルーペであって、ブラケットと、前記ブラケットに取り付けられた一対のレンズ鏡筒と、前記一対のレンズ鏡筒に対応させた２つのレンズが形成されており、使用時に前記一対のレンズ鏡筒の前記観察対象側を覆うように、前記ブラケットに着脱自在に取り付けられたプレートルーペとを備えることを特徴とする。
【０００９】
［２］本発明の双眼ルーペにおいては、前記ブラケットは、前記一対のレンズ鏡筒を取り付けるためのレンズ鏡筒取付部と、前記プレートルーペを取り付けるためのプレートルーペ取付部と、前記レンズ鏡筒取付部と前記プレートルーペ取付部とを繋ぐ繋ぎ部とを有し、前記プレートルーペの使用位置と退避位置とを切り換えるプレートルーペ位置切り換え機構が前記プレートルーペ取付部と前記繋ぎ部とを含み構成されていることが好ましい。
【００１０】
［３］本発明の双眼ルーペにおいては、前記プレートルーペの前記観察対象側の周辺部の少なくとも一部を覆った時に、当該周辺部の一部の視野を外側に広げる視野変更部材と、前記一対のレンズ鏡筒の少なくともいずれかのレンズ鏡筒または前記ブラケットに取り付けられて前記視野変更部材を使用位置と退避位置とを切り換え可能に支持する視野変更部材支持具とをさらに備えていることが好ましい。
【００１１】
［４］前記視野変更部材は、プリズムであることが好ましい。
【００１２】
［５］その際、前記プリズムは、フレネルタイプのプリズムプレートであることが好ましい。
【００１３】
［６］本発明の双眼ルーペにおいては、前記プレートルーペの前記観察対象側を覆った時に、前記双眼ルーペの拡大倍率を変更する第２プレートルーペと、前記一対のレンズ鏡筒の少なくともいずれかのレンズ鏡筒または前記ブラケットに取り付けられて前記第２プレートルーペを使用位置と退避位置とを切り換え可能に支持する第２プレートルーペ支持具とをさらに備えていてもよい。
【００１４】
［７］本発明の双眼ルーペにおいては、前記プレートルーペは、前記２つのレンズの境界部に切り欠きまたは穴が形成されていることが好ましい。
【００１５】
［８］本発明の双眼ルーペにおいては、前記ブラケットは、直接的または間接的に、照明機器または撮像機器を前記観察対象に向けて取り付けるための機器取付部が形成されていることが好ましい。
【００１６】
［９］本発明の双眼ルーペ装置は、スタンドと、１または複数の関節を有し、前記スタンドに取り付けられて先端部を使用者の所望の位置に移動自在に構成されたアームと、前記アームの先端部に保持されたアームステーと、前記アームステーに前記ブラケットが固定された双眼ルーペとを備える双眼ルーペ装置であって、前記双眼ルーペは、上記［１］〜［８］のいずれかに記載の双眼ルーペであることを特徴とする。
【００１７】
［１０］本発明の双眼ルーペ装置は、前記双眼ルーペに取り付けられる照明機器または撮像機器をさらに備え、前記アームは、前記照明機器または撮像機器の電気ケーブルを挿通可能な中空の配線挿通部を有することが好ましい。
【００１８】
［１１］本発明の双眼ルーペ装置は、前記双眼ルーペに取り付けられる照明機器または撮像機器をさらに備え、前記アームは、当該アームに沿わして前記照明機器または撮像機器の電気ケーブルを固定可能な配線固定部を有することが好ましい。
【発明の効果】
【００１９】
本発明の双眼ルーペは、使用時に一対のレンズ鏡筒の観察対象側を覆うように、ブラケットに取り付けられたプレートルーペを備えているため、医療現場における体液や薬液等の飛沫に対してプレートルーペがシールドとなり、レンズ鏡筒の対物レンズ側は汚れ難い。また、プレートルーペは、ブラケットに着脱自在に取り付けられているため、短時間で取り替え可能である。また、プレートルーペは、レンズ鏡筒よりも安価に形成することが可能である。このため、プレートルーペをディスポーザル部品として構成することは現実的である。この結果、本発明によれば、対物レンズ側（プレートルーペ）が汚れてしまうことによって観察機能が損なわれた際に観察機能を回復させたい場合に、短時間で対処しやすい医療用の双眼ルーペを提供することができる。
【００２０】
また、本発明の双眼ルーペは、プレートルーペに一対のレンズ鏡筒に対応させた２つのレンズが形成されており、プレートルーペのレンズのパワーに応じた光学特性（拡大倍率、作動距離、焦点深度等）の双眼ルーペを構成することが可能である。つまり、レンズのパワーが異なる複数種類のプレートルーペを用意しておけば、プレートルーペを交換することで双眼ルーペの光学特性を容易に変更可能である。また、前述したように、プレートルーペは、ブラケットに着脱自在に取り付けられているため、短時間で取り替え可能である。この結果、本発明によれば、観察中に状況・用途に応じて双眼ルーペの光学特性を変更させたい場合に、短時間で対処しやすい医療用の双眼ルーペを提供することができる。
【図面の簡単な説明】
【００２１】
【図１】実施形態１に係る双眼ルーペ１０の斜視図である。図１では、双眼ルーペ１０に付属する部分についても二点鎖線で描かれている。
【図２】実施形態１に係る双眼ルーペ１０の三面図である。図２（ａ）が上面図、図２（ｂ）が正面図、図２（ｃ）が側面図である。図２（ｂ）および図２（ｃ）では、双眼ルーペ１０に付属する部分についても二点鎖線で描かれている。
【図３】実施形態１に係る双眼ルーペ１０のプレートルーペ４０および視野変更部材５０を退避位置に切り替えた状態を示す側面図である。
【図４】実施形態１に係る双眼ルーペ装置１を説明する図である。図４（ａ）は、双眼ルーペ装置１の斜視図である。図４（ｂ）は、アーム７２における配線挿通部７２ｃを説明する図である。図４（ｃ）は、変形例であるアーム１７２における配線固定部１７２ｃを説明する図である。
【図５】実施形態１におけるプレートルーペ４０の取り付け手順を説明する図である。図５（ａ）〜（ｂ）の順で取り付け作業を行う。
【図６】実施形態１に係る双眼ルーペ１０のレンズ鏡筒３０の幅および角度の調節方法を説明する図である。図６（ａ）は、レンズ鏡筒３０の幅調節を示している。図６（ｂ）は、レンズ鏡筒３０の角度調節を示している。
【図７】実施形態２に係る双眼ルーペ１１０の斜視図である。
【図８】従来の双眼ルーペ９１０を説明するための斜視図である。
【発明を実施するための形態】
【００２２】
以下、本発明の双眼ルーペおよび双眼ルーペを備える双眼ルーペ装置について、図面を参照して説明する。なお、双眼ルーペは、使用者の両眼それぞれに対応するルーペ（拡大鏡）を有するが、本明細書では使用時における使用者から見た左右方向を基準として、「左」「右」方向を表している。また、図面において符号の後に「Ｌ」が付いている場合は、使用者の左眼用を表し、符号の後に「Ｒ」が付いている場合は、使用者の右眼用を表している。また、各図面は必ずしも実際の寸法を厳密に反映したものではない。
【００２３】
［実施形態１］
１．実施形態１に係る双眼ルーペ１０の構成
図１は、実施形態１に係る双眼ルーペ１０の斜視図である。図１では、双眼ルーペ１０に付属する部分についても二点鎖線で描かれている。
図２は、実施形態１に係る双眼ルーペ１０の三面図である。図２（ａ）が上面図、図２（ｂ）が正面図、図２（ｃ）が側面図である。図２（ｂ）および図２（ｃ）では、双眼ルーペ１０に付属する部分についても二点鎖線で描かれている。
図３は、実施形態１に係る双眼ルーペ１０のプレートルーペ４０および視野変更部材５０を退避位置に切り替えた状態を示す側面図である。
実施形態１に係る双眼ルーペ１０は、図１および図２（ａ）〜（ｃ）に示すように、ブラケット２０、左右一対のレンズ鏡筒３０（３０Ｌ，３０Ｒ）、プレートルーペ４０、視野変更部材５０、および視野変更部材支持具６０を備え、医科・眼科・歯科治療、外科手術等の医療現場において、使用者がレンズ鏡筒３０を覗くことでプレートルーペ４０側にある観察対象を拡大観察するための観察器具である。なお、双眼ルーペ１０は、プレートルーペ４０および視野変更部材５０が使用位置と退避位置とを切り換え可能に構成されているが、以下の説明において、特に退避位置にあるとの説明がない場合には、プレートルーペ４０および視野変更部材５０が使用位置にあるものとして説明する。
【００２４】
ブラケットとは２以上の構成部品同士を結合させるものであり、さまざまな形態で構成することができるが、一例として実施形態１においては、ブラケット２０は、複数の部材が組み合わされて構成されており、２以上の他の部品を取り付けられるようになっている。具体的には、ブラケット２０は、一対のレンズ鏡筒３０を取り付けるためのレンズ鏡筒取付部２１と、プレートルーペ４０を取り付けるためのプレートルーペ取付部２２と、レンズ鏡筒取付部２１とプレートルーペ取付部２２とを繋ぐ繋ぎ部２３とを有している。また、ブラケット２０は、照明機器または撮像機器といった外部機器を前記観察対象に向けて直接的または間接的に取り付けるための機器取付部２４が形成されている。
【００２５】
レンズ鏡筒取付部２１は、ある程度厚みのある略直方体状で、左右方向に延びている。レンズ鏡筒取付部２１は、レンズ鏡筒３０Ｌ，３０Ｒを取り付ける際に固定ねじ２１ａを通すための長穴２１ｂが左右両端部に形成されている。なお、長穴２１ｂにはそれぞれ固定ねじ２１ａが２本通されるが、長穴２１ｂの長さおよび幅は、固定ねじ２１ａが長穴２１ｂ内である程度動けるように設定されている。
【００２６】
プレートルーペ取付部２２は、回転軸２２ａとつまみ２２ｂと固定爪２２ｃとを含み構成されている。
回転軸２２ａは、略円柱状で、左右方向に延びている。回転軸２２ａの周囲の一部には、左右方向（回転軸２２ａの軸方向）に延びて、平面状に加工されたプレートルーペ取付面２２ｄが形成されている。
つまみ２２ｂは、略円柱状で、回転軸２２ａの先端部から左右方向（回転軸２２ａの軸方向）に沿って延びている。つまみ２２ｂは、周囲にローレットが形成されている。
固定爪２２ｃは、同じ形状の部材一対からなり、左右対称の向きで間隔をあけ、回転軸２２ａのプレートルーペ取付面２２ｄの中央付近に固定されている。固定爪２２ｃは、プレートルーペ取付面２２ｄ沿って延びる全体的には板状の部材である。固定爪２２ｃのプレートルーペ取付面２２ｄ側の面における一対として見たときの内側は、弾性部材を介してプレートルーペ取付面２２ｄに固定されている。これにより、固定爪２２ｃは、プレートルーペ取付面２２ｃに対して僅かながら可動可能になっている。また、固定爪２２ｃのプレートルーペ取付面２２ｄ側の面における一対として見たときの外側は、プレートルーペ取付面２２ｄとの間に隙間があり、一部にプレートルーペ取付面２２ｄ側に突出する突起（不図示）が形成されている。
なお、詳細については後述するが、プレートルーペ取付部２２は、プレートルーペ取付面２２ｄと固定爪２２ｃとの間の隙間にプレートルーペ４０の一部が嵌め込まれることで、プレートルーペ４０を保持している。
【００２７】
繋ぎ部２３は、ある程度厚みのある略長方体状で、左右方向に対して垂直な方向に延びている。繋ぎ部２３は、一端部がレンズ鏡筒取付部２１に固定され、他端部に回転軸２２ａが通された左右方向に貫通する軸受部２３ａが形成されている。繋ぎ部２３には、軸受部２３ａを通した回転軸２２ａを押さえることが可能なロックねじ２３ｂが取り付けられている。繋ぎ部２３は、プレートルーペ取付部２２と組み合わされることで、プレートルーペ位置切り換え機構を構成している。プレートルーペ位置切り換え機構は、繋ぎ部２３の軸受部２３ａでプレートルーペ取付部２２の回転軸２２ａを回転自在に支持する。これによって、プレートルーペ取付部２２に取り付けられたプレートルーペ４０を左右方向に対して垂直な方向に回転させて、プレートルーペ４０の使用位置と退避位置とを切り換え可能にしている（退避位置については図３参照。）。
【００２８】
機器取付部２４は、レンズ鏡筒取付部２１の中央部に形成されている。実施形態１においては、後述のアームステー７３を介して照明機器８０または撮像機器９０を取り付けるように構成しているため、機器取付部２４には、アームステー７３の取り付け面とアームステー７３の固定ねじを通す穴とが形成されている。
【００２９】
レンズ鏡筒３０は、使用者の左眼用のレンズ鏡筒３０Ｌと右眼用のレンズ鏡筒３０Ｒが一対になっている。それぞれのレンズ鏡筒３０Ｌ，３０Ｒは、レンズ枠３１Ｌ，３１Ｒと、レンズ枠３１Ｌ，３１Ｒ内の一方側に固定された接眼レンズ３２Ｌ，３２Ｒと、レンズ枠３１Ｌ，３１Ｒ内の他方側に固定された対物レンズ３３Ｌ，３３Ｒとを有する。レンズ鏡筒３０Ｌ，３０Ｒは、それぞれ接眼レンズおよび対物レンズを含むいわゆるガリレオ式の光学系で、テレスコープ等と呼ばれる作動距離が無限遠の拡大鏡となっている。レンズ鏡筒３０Ｌ，３０Ｒは、レンズ鏡筒取付部２１に形成された長穴２１ｂを通し、ばね座金を挟んだ固定ねじ２１ａによって、スペーサを介してブラケット２０に取り付けられている。以下、左右両者に該当する場合については、符号の後の「Ｌ」「Ｒ」を省略して説明する。
【００３０】
レンズ枠３１は、複数の略円筒状の筒が中心軸を一致させて組み合わされており、大きく分けて接眼レンズ３２を固定する接眼側枠３１ａと対物レンズ３３を固定する対物側枠３１ｂとで構成されている。レンズ枠３１は、対物側枠３１ｂがブラケット２０に取り付けられ、対物側枠３１ｂに対して接眼側枠３１ａを軸方向に可変することが可能になっている。レンズ枠３１は、側面の一部に平面に加工されたブラケット取付面３１ｃが形成されている。また、レンズ枠３１は、側面において、ブラケット取付面３１ｃに対して軸方向に９０°回転（レンズ枠３１Ｌとレンズ枠３１Ｒとでは反対方向に回転）させた位置に平面に加工されたオプション取付面３１ｄが形成されている。
【００３１】
接眼レンズ３２は、球面ガラスレンズであり、レンズ枠３１の接眼側枠３１ａ内に固定されている。対物レンズ３３は、球面ガラスレンズであり、レンズ枠３１の対物側枠３１ｂ内に固定されている。
【００３２】
プレートルーペ４０は、一対のレンズ鏡筒３０Ｌ，３０Ｒに対応させた（光軸を一致または近くなるよう配置した）２つのレンズ４１（４１Ｌ，４１Ｒ）が一体に形成された薄板状のプラスチック凸レンズである。プレートルーペ４０は、ブラケット２０のプレートルーペ取付部２２に取り付ける側の側面が平面に加工されている。また、プレートルーペ４０は、ブラケット２０のプレートルーペ取付部２２に取り付ける側の側面の左右２か所に門形で張り出している嵌め込み突起４２が形成されている。また、プレートルーペ４０は、２つのレンズ４１Ｌ，４１Ｒの境界部に切り欠きまたは穴４３（図１では切り欠き４３）が形成されている。この切り欠きまたは穴４３は、後述の照明機器８０や撮像機器９０をレンズ鏡筒３０Ｌ，３０Ｒ間に配置した場合に、照明機器８０からの照明光や撮像機器９０への入射光がけられないよう設けられている。
なお、プレートルーペ４０の光学特性は、レンズ鏡筒３０と組み合わせることを考慮して、双眼ルーペ１０として所望の光学特性となるように適宜設定すればよい。一例として、プレートルーペ４０を１．７倍の拡大倍率で形成し、レンズ鏡筒３０と組み合わせて、２．６倍の拡大倍率で作動距離が４０ｃｍ〜１００ｃｍの双眼ルーペ１０を構成してもよい。また、プレートルーペ４０を２倍の拡大倍率で形成し、前例のレンズ鏡筒３０と組み合わせて、３倍の拡大倍率で作動距離が３０ｃｍ〜４５ｃｍの双眼ルーペ１０を構成してもよい。
【００３３】
視野変更部材５０は、フレネルタイプ（通常の光学部品を短冊状または同心円状の領域に分割して面をオフセットすることで薄板状に形成したプタイプ）のプラスチックのプリズムプレートである。視野変更部材５０は、フレネル面がプレートルーペ４０側を向き、プレートルーペ４０の観察対象側の周辺部の少なくとも一部を覆い（図１では、左側の周辺部の一部を覆っている）、視野変更部材５０を通した周辺部の視野が外側に広がる向きに配置されている。補足すると、プリズムでは、通過する光が曲がるため、配置する向きによって視野変更部材５０を配置していない場合よりも外側が見えるようになる。なお、プリズム面の斜面の角度は、広げたい視野に応じて適宜設定すればよい。
【００３４】
視野変更部材支持具６０は、レンズ鏡筒３０Ｌ，３０Ｒの少なくともいずれかのレンズ鏡筒３０（図１では左眼用のレンズ鏡筒３０Ｌ）に取り付けられている視野変更部材支持ベース部６１と、視野変更部材支持ベース部６１から延びる視野変更部材支持テンプル部６２と、視野変更部材支持テンプル部６２の先端に固定されて視野変更部材５０を保持する視野変更部材保持部６３とを有している。
【００３５】
視野変更部材支持ベース部６１は、フランジを有する略直方体状のブロックで、フランジの部分を固定ねじで止めることにより、レンズ枠３１のオプション取付面３１ｄに取り付けられている。また、視野変更部材支持ベース部６１は、外側の面から円柱状に突出するピン６１ａと、ピン６１ａ近傍のねじ穴とが形成されている。
【００３６】
視野変更部材支持テンプル部６２は、細長い略直方体状で、プレートルーペ４０の側方を横切るように左右方向に対して垂直な方向に延びている。視野変更部材支持テンプル部６２は、根本側端部に視野変更部材支持ベース部６１のピン６１ａに挟むことが可能なピン用切り欠き６２ａが形成されている。また、視野変更部材支持テンプル部６２には、ピン用切り欠き６２ａの近傍に角度固定用長穴６２ｂが形成されている。図２（ｃ）に示すように、視野変更部材支持テンプル部６２は、ピン用切り欠き６２ａが視野変更部材支持ベース部６１のピン６１ａを挟み込んだ状態で、角度固定用長穴６２ｂに通されて視野変更部材支持ベース部６１のねじ穴に螺合する固定ねじ６１ｂによって、視野変更部材５０が使用位置になる角度位置に固定される。また、視野変更部材支持テンプル部６２は、ピン用切り欠き６２ａが視野変更部材支持ベース部６１のピン６１ａを挟み込まない位置にずらした状態から視野変更部材支持ベース部６１のねじ穴に螺合する固定ねじ６１ｂを中心に回転させることで、図３に示すような視野変更部材５０を退避位置に切り替え可能である。
【００３７】
視野変更部材保持部６３は、視野変更部材支持テンプル部６２の先端側端部固定されており、視野変更部材５０の外側の側面に沿って延びると共に視野変更部材５０の外側の角２か所を固定ねじで固定して視野変更部材５０を保持している。
【００３８】
２．実施形態１に係る双眼ルーペ装置１の構成
図４は、実施形態１に係る双眼ルーペ装置１を説明する図である。図４（ａ）は、双眼ルーペ装置１の斜視図である。図４（ｂ）は、アーム７２における配線挿通部７２ｃを説明する図である。図４（ｃ）は、変形例であるアーム１７２における配線固定部１７２ｃを説明する図である。
実施形態１に係る双眼ルーペ装置１は、図４（ａ）（ｂ）に示すように（併せて図１も適宜参照。）、前述した双眼ルーペ１０と、設置台７０と、照明機器８０と、撮像機器９０とを備えている。
【００３９】
設置台７０は、スタンド７１とアーム７２とアームステー７３とを備えており、使用者が観察対象を観察しやすくなるように、双眼ルーペ１０、照明機器８０、および撮像機器９０を所定の位置および向きで支持している。
【００４０】
スタンド７１は、下面にキャスタが取り付けられた基台７１ａと、基台７１ａの上面から上方に延びるポール７１ｂからなっており、フロアに設置されている。
【００４１】
アーム７２は、根本側がスタンド７１のポール７１ｂに対して上下移動可能かつポール７１ｂを軸に回転可能取り付けられている。アーム７２は、複数の関節Ｊ１〜Ｊ４を有するいわゆる多関節アームである。アーム７２は、先端部７２ａが門形に形成されている。アーム７２は、先端部７２ａの根本側から使用者が握りやすいような棒状のグリップ７２ｂが突出している。アーム７２は、使用者がグリップ７２ｂを握り動かすことで、先端部７２ａを所望の位置に移動自在に構成されている。アーム７２は、先端部７２ａが中空のパイプ部材で形成され、先端部７２ａの内側が配線等を挿通可能な配線挿通部７２ｃとなっている。
【００４２】
アームステー７３は、細長い略直方体状のブロック部材であり、アーム７２の先端部７２ａの最先端の部位に保持されている。アームステー７３は、アーム７２に保持されている側と反対側に双眼ルーペ１０のブラケット２０が固定されている（図１参照。）。
【００４３】
照明機器８０は、照明光を観察対象に向けて照射する機器であり、レンズ鏡筒３０Ｌとレンズ鏡筒３０Ｒと間に配置されるよう、照明機器取付具８１（図２参照。）を介してアームステー７３に取り付けられている。照明機器８０の照明光は、プレートルーペ４０の切り欠き４３を通過して観察対象に照射される。また、照明機器８０の電気ケーブル８０ａは、アーム７２の配線挿通部７２ｃに挿通されて配線処理されている。
【００４４】
撮像機器９０は、先端に取り付けられたレンズを含み、静止画または動画を記録するカメラである。撮像機器９０は、撮像機器取付具９１を介してアームステー７３に取り付けられている。撮像機器９０は、観察対象を捉えられるように撮像機器取付具９１によって傾き等を調整することが可能に構成されている。また、撮像機器９０の電気ケーブル９０ａは、アーム７２の配線挿通７２ｃに挿通されて配線処理されている。
【００４５】
３．実施形態１に係る双眼ルーペ装置１の使用方法
医療現場によって異なるが、双眼ルーペ装置１００は、概ね次のような使用方法となる。なお、滅菌等の作業が必要になる場合もあるが、滅菌等の作業については説明を省略する。
【００４６】
（１）プレートルーペ４０のセット
図５は、実施形態１におけるプレートルーペ４０の取り付け手順を説明する図である。図５（ａ）〜（ｂ）の順で取り付け作業を行う。
まず、プレートルーペ４０をブラケット２０に取り付ける。光学特性の異なる複数のプレートルーペを用意している場合には、予定する観察内容を検討し、観察に適する光学特性のプレートルーペ４０を選択してブラケット２０に取り付ける。プレートルーペ４０をブラケット２０に取り付けるには、まず、図５（ａ）に示すように、一方の手の指をプレートルーペ取付部２２のつまみ２２ｂから遠い側の固定爪２２ｃ付近に添え、他方の手に持ったプレートルーペ４０の対応する嵌め込み突起４２を、指を添えた固定爪２２ｃとプレートルーペ取付面２２ｄとの間の隙間に差し込む。差し込んだ嵌め込み突起４２が固定爪２２ｃに嵌め込まれたことを確認したら、図５（ｂ）に示すように一方の手でつまみ２２ｂを持って、まだ差し込まれていない嵌め込み突起４２をつまみ２２ｂ側の固定爪２２ｃとプレートルーペ取付面２２ｄとの間の隙間に差し込む。後から差し込んだ嵌め込み突起４２がつまみ２２ｂ側の固定爪２２ｃに嵌め込まれたことを確認し、プレートルーペ４０をブラケット２０に取り付ける作業が完了する。
なお、ブラケット２０からプレートルーペ４０を取り外すには、つまみ２２ｂ側を両側に開いてつまみ２２ｂ側の嵌め込み突起４２を外してから、つまみ２２ｂから遠い側を開いてもう片方の嵌め込み突起４２を外せばよい。
【００４７】
（２）レンズ鏡筒３０の目幅と角度の調節
図６は、実施形態１に係る双眼ルーペ１０のレンズ鏡筒３０の幅および角度の調節方法を説明する図である。図６（ａ）は、レンズ鏡筒３０の幅調節を示している。図６（ｂ）は、レンズ鏡筒３０の角度調節を示している。
次に、使用者および予定する観察対象の位置に合わせ、図６（ａ）に示すようにレンズ鏡筒３０の幅調節、および図６（ｂ）に示すようにレンズ鏡筒３０の角度調節を行う。実施形態１では、レンズ鏡筒３０は、ばね座金を挟んだ固定ねじ２１ａによってブラケット２０に取り付けられており、ばね座金の反力で位置が保持されている。このため、いずれの調節も、レンズ鏡筒３０Ｌ，３０Ｒに保持されている力以上の力を手で加えて、図６（ａ）の矢印が示す左右方向に移動させる、または図６（ｂ）の矢印が示す内向き外向きに回転させることで、所望の幅または角度に調節する。
【００４８】
（３）視野変更部材５０のセット
次に、予定する観察内容を検討し、例えば助手が位置する側等、視野を広げたい側に視野変更部材５０を取り付ける。
【００４９】
（４）双眼ルーペ１０の位置の調節
次に、アーム７２をスタンド７１に対して上下させたり、アーム７２のグリップ７２ｂを握って動かしたりして、観察しやすい双眼ルーペ１０の位置、向きに調節する（図４ａ参照。）。
【００５０】
（５）観察対象の観察、観察中の調整
次に、使用者は、双眼ルーペ１０を接眼レンズ３２側から覗き、観察対象を拡大観察する。使用者は、状況に応じて、プレートレンズ４０の交換、プレートレンズ４０の使用位置と退避位置との切り換え、視野変更部材５０の退避位置と使用位置との切り換え、等を適宜調整する。例えば、観察中に、プレートレンズ４０が汚れて観察に支障をきたす場合には、新しいプレートレンズ４０に交換する。また、観察中に、双眼ルーペ１０の光学特性変更したい場合には、プレートレンズ４０を退避位置に切り替えたり、プレートレンズ４０を別の光学特性のプレートレンズに交換したりする。また、観察中に視野範囲を広げる必要がない場合には、視野変更部材５０を退避位置に切り替える。その他、アーム７２のグリップ７２ｂを握って観察ポイントを変更したりする。
【００５１】
４．実施形態１の効果
実施形態１に係る双眼ルーペ１０は、使用時に一対のレンズ鏡筒３０の観察対象側を覆うように、ブラケット２０に取り付けられたプレートルーペ４０を備えているため、医療現場における体液や薬液等の飛沫に対してプレートルーペ４０がシールドとなり、レンズ鏡筒３０の対物レンズ側は汚れ難い。また、プレートルーペ４０は、ブラケット２０に着脱自在に取り付けられているため、短時間で取り替え可能である。また、プレートルーペ４０は、レンズ鏡筒３０よりも安価に形成することが可能である。このため、プレートルーペ４０をディスポーザル部品として構成することは現実的である。この結果、実施形態１によれば、対物レンズ側（プレートルーペ）が汚れてしまうことによって観察機能が損なわれた際に観察機能を回復させたい場合に、短時間で対処しやすい医療用の双眼ルーペを提供することができる。
【００５２】
また、実施形態１に係る双眼ルーペ１０は、プレートルーペ４０に一対のレンズ鏡筒３０に対応させた２つのレンズ４１（４１Ｌ，４１Ｒ）が形成されており、プレートルーペ４０のレンズ４１のパワーに応じた光学特性（拡大倍率、作動距離、焦点深度等）の双眼ルーペ１０を構成することが可能である。つまり、レンズ４１のパワーが異なる複数種類のプレートルーペ４０を用意しておけば、プレートルーペ４０を交換することで双眼ルーペ１０の光学特性を容易に変更可能である。また、前述したように、プレートルーペ４０は、ブラケット１０に着脱自在に取り付けられているため、短時間で取り替え可能である。この結果、実施形態１によれば、観察中に状況・用途に応じて双眼ルーペの光学特性を変更させたい場合に、短時間で対処しやすい医療用の双眼ルーペを提供することができる。
【００５３】
また、実施形態１に係る双眼ルーペ１０は、ブラケット２０のプレートルーペ取付部２２と繋ぎ部２３とでプレートルーペ４０の使用位置と退避位置とを切り換えるためのプレートルーペ位置切り換え機構が構成されているため、プレートルーペ４０を通した双眼ルーペ１０の観察よりレンズ鏡筒３０のみの観察の方が状況に適している判断した場合に双眼ルーペを退避させてレンズ鏡筒３０のみの観察に切り替えることを可能とする。これにより、使用状況に対応しやすい医療用の双眼ルーペを提供することができる。
【００５４】
また、実施形態１に係る双眼ルーペ１０は、使用位置において、プレートルーペ４０の周辺部の一部を覆い、周辺部の視野を外側に広げる視野変更部材５０を備えているため、使用者が観察中に観察対象からより離れた範囲の動きを察知することを可能とする。例えば、手術中の第三者により器械出しされたメス等を手元から安全に離れた位置から察知することも可能とする。これにより、より安全に観察することができる医療用の双眼ルーペを提供することができる。
また、実施形態１に係る双眼ルーペ１０は、一対のレンズ鏡筒３０Ｌ，３０Ｒの少なくともいずれかレンズ鏡筒またはブラケット２０に取り付けられて視野変更部材５０を使用位置と退避位置とを切り換え可能に支持する視野変更部材支持具６０とを備えているため、周辺視野を広げる必要がない場合に視野変更部材５０を退避させることを可能とする。これにより、使用状況に対応しやすい医療用の双眼ルーペを提供することができる。
【００５５】
また、実施形態１においては、視野変更部材５０は、プリズムであるため、プリズム面の角度に従い周辺視野を広げることができる。プリズムは、プリズム面の角度を設定するだけで所望の周辺視野の範囲に合わせやすいため、視野変更部材５０として好ましい。
【００５６】
また、実施形態１においては、視野変更部材５０は、フレネルタイプのプリズムプレートであるため、薄く軽く形成される。このため、視野変更部材５０の使用位置と退避位置との切り換えを楽に行うことができると共に、コンパクトなプレートルーペ１０を構成することができる。
【００５７】
また、実施形態１においては、プレートルーペ４０は、２つのレンズ４１（４１Ｌ，４１Ｒ）の境界部に切り欠きまたは穴４３が形成されているため、この切り欠きまたは穴４３から照明光を照射することで、レンズ鏡筒３０の光軸に対して傾きが少ない照明光を観察対象に照射することが可能となる。これにより、観察対象に対して影を少なくして明瞭な観察を行うことができる。
【００５８】
また、実施形態１においては、ブラケット２０は、直接的または間接的に、照明機器８０または撮像機器９０を観察対象に向けて取り付けるための機器取付部２４が形成されているため、レンズ鏡筒３０に対して照明機器８０または撮像機器９０の位置関係を一定にすることが可能となる。これにより、安定した観察または安定した記録をすることができる。
【００５９】
また実施形態１に係る双眼ルーペ装置１は、スタンド７１と、当該スタンド７１に取り付けられて先端部７２ａを使用者の所望の位置に移動自在に構成されたアーム７２と、当該アーム７２の先端部７２ａに保持されたアームステー７３と、当該アームステー７３にブラケット２０が固定された双眼ルーペ１０とを備えているため、双眼ルーペ１０を使用者の所望の空間位置に配置することができ、使用者が装着する必要がなくなる。これにより、さまざまな効果を奏する双眼ルーペ１０を楽に使用することができる。
【００６０】
実施形態１においては、アーム７２は、照明機器８０の電気ケーブル８０ａまたは撮像機器９０の電気ケーブル９０ａを挿通可能な中空の配線挿通部７２ｃを有しているため、電気ケーブル８０ａ，９０ａがアーム７２に沿って綺麗に配線処理される。これにより、配線が邪魔で観察に支障をきたすおそれを回避することができる。
【００６１】
［実施形態２］
１．実施形態２に係る双眼ルーペ１１０の構成
図７は、実施形態２に係る双眼ルーペ１１０の斜視図である。
実施形態２に係る双眼ルーペ１１０は、図７に示すように、ブラケット２０、左右一対のレンズ鏡筒３０（３０Ｌ，３０Ｒ）、プレートルーペ４０、第２プレートルーペ１４０、および第２プレートルーペ支持具１６０を備え、使用者がレンズ鏡筒３０を覗くことでプレートルーペ４０側にある観察対象を拡大観察するための観察器具である。実施形態２に係る双眼ルーペ１１０は、実施形態１に係る双眼ルーペ１０の視野変更部材５０および当該視野変更部材５０を支持する視野変更部材支持具６０を、第２プレートルーペ１４０および当該第２プレートルーペ１４０を支持する第２プレートルーペ支持具１６０に置き換えたものである。以下では、双眼ルーペ１０に対して置き換えた部分について説明し、他の部分の説明を省略する。なお、第２プレートルーペ１４０の使用位置と退避位置との切り換えについては実施形態１の視野変更部材５０と同様である。また、双眼ルーペ１１０は、照明８０がブラケット２０に対してレンズ鏡筒３０が取り付けられている側と反対側に取り付けられている。
【００６２】
第２プレートルーペ１４０は、一対のレンズ鏡筒３０Ｌ，３０Ｒに対応させた（光軸を一致または近くなるよう配置した）２つのレンズ１４１（１４１Ｌ，１４１Ｒ）が一体に形成された薄板状のプラスチックレンズである。なお、プレートルーペ１４０の光学特性は、レンズ鏡筒３０およびプレートルーペ４０と組み合わせることを考慮して、双眼ルーペ１１０として所望の光学特性となるように適宜設定すればよい。このとき、プレートルーペ４０も第２プレートルーペも退避させない場合、プレートルーペ４０だけ退避させる場合、第２プレートルーペ１４０だけを退避させる場合、プレートルーペ４０も第２プレートルーペ１４０も退避させる場合が考えられるが、いずれの場合においても光学ルーペとして使用できるように設定できることが好ましい。
【００６３】
第２プレートルーペ支持具１６０は、レンズ鏡筒３０Ｌ，３０Ｒの少なくともいずれかのレンズ鏡筒３０（図７では両方のレンズ鏡筒３０Ｌ，３０Ｒ）に取り付けられている第２プレートルーペ支持ベース部１６１と、第２プレートルーペ支持ベース部１６１から延びる第２プレートルーペ支持テンプル部１６２と、第２プレートルーペ支持テンプル部１６２の先端に固定されて第２プレートルーペ１４０を保持する第２プレートルーペ保持部１６３とを有している。第２プレートルーペ支持ベース部１６１および第２プレートルーペ支持テンプル部１６２は、実施形態１の視野変更部材支持ベース部６１および視野変更部材支持テンプル部６２と同様であるため、説明を省略する。
【００６４】
各第２プレートルーペ保持部１６３は、第２プレートルーペ１４０の外側の稜線部を固定ねじ固定することで、第２プレートルーペ１４０を保持している。
【００６５】
２．実施形態２の効果
実施形態２に係る双眼ルーペ１１０は、使用位置において、プレートルーペ４０を覆い、双眼ルーペ１１０の拡大倍率を変更する第２プレートルーペ１４０と、一対のレンズ鏡筒３０Ｌ，３０Ｒの少なくともいずれかレンズ鏡筒またはブラケット２０に取り付けられて第２プレートルーペ１４０を使用位置と退避位置とを切り換え可能に支持する第２プレートルーペ支持具１６０とを備えている。このため、双眼ルーペ１１０は、状況に応じて、プレートルーペ４０を通して観察する場合、第２プレートルーペ１４０を通して観察する場合、プレートルーペ４０および第２プレートルーペ１４０を通して観察する場合、プレートルーペ４０および第２プレートルーペ１４０を通さないで観察する場合を切り換えて、拡大倍率等の光学特性を切り替えることを可能とする。これにより、使用状況に対応しやすい医療用の双眼ルーペを提供することができる。
【００６６】
以上、本発明を上記の実施形態に基づき説明したが、本発明は上記の実施形態に限定されるものではない。その趣旨を逸脱しない範囲において種々の態様において実施することが可能であり、例えば、次のような変形も可能である。
【００６７】
（１）上記実施形態において記載した構成要素の数、材質、形状、位置、大きさ、角度、光学特性等は例示であり、本発明の効果を損なわない範囲において変更することが可能である。
【００６８】
（２）実施形態１に係る双眼ルーペ１０は、照明機器８０または撮像機器９０がアームステー７３を介して間接的にブラケット２０の機器取付部２４に取り付けられるように構成されているが、本発明はこれに限定されるものではない。例えば、ブラケットに照明機器８０または撮像機器９０の取り付け部が形成されて、照明機器８０または撮像機器９０を直接的に取り付けるように構成されていてもよい。
【００６９】
（３）実施形態１においては、ブラケット２０のプレートルーペ取付部２２は、プレートルーペ取付面２２ｄと固定爪２２ｃとの間の隙間にプレートルーペ４０の嵌め込み突起４２が嵌め込まれることで、プレートルーペ４０を保持する構造であったが、本発明はこれに限定されるものではない。例えば、プレートルーペ取付部２２にプレートルーペの一部をねじ止めやクリップ止めしてプレートルーペを取り付ける構造であってもよい。
【００７０】
（４）実施形態１においては、プレートルーペ位置切り換え機構は、繋ぎ部２３でプレートルーペ取付部２２を回転自在に支持する構造で、プレートルーペ４０を左右方向に対して垂直な方向に回転させて、プレートルーペ４０の使用位置と退避位置とを切り換え可能にしていたが、プレートルーペ４０の使用位置と退避位置とを切り換え可能にするものであれば、本発明はこれに限定されるものではない。例えば、プレートルーペ切り換え機構が繋ぎ部に対してプレートルーペ取付部をスライド可能な構造で、プレートルーペをスライドさせることでプレートルーペの使用位置と退避位置とを切り換え可能にするものであってもよい。また、プレートルーペ切り換え機構が繋ぎ部に対してプレートルーペ取付部を着脱可能な構造で、プレートルーペを着脱させることでプレートルーペ４０の使用位置と退避位置とを切り換え可能にするものであってもよい。
【００７１】
（５）実施形態１においては、レンズ鏡筒３０は、接眼レンズ３２および対物レンズ３３を含むいわゆるガリレオ式の光学系であったが、本発明はこれに限定されるものではない。例えば、レンズ鏡筒が対物レンズ、プリズム、および接眼レンズで構成されたいわゆるケプラー式（プリズム式）であってもよい。なお、接眼レンズと対物レンズとの間に中間レンズを含むよう構成してもよい。
【００７２】
（６）実施形態１においては、レンズ鏡筒３０は、テレスコープ等と呼ばれる作動距離が無限遠の光学特性であったが、本発明はこれに限定されるものではない。例えば、レンズ鏡筒が、有限の作動距離の拡大鏡であり、プレートルーペを装着することで作動距離が変わるものであってもよい。
【００７３】
（７）実施形態１においては、レンズ鏡筒３０の接眼レンズ３２および対物レンズ３３は、球面ガラスレンズであったが、本発明はこれに限定されるものではない。例えば、接眼レンズまたは対物レンズが接合レンズ、非球面レンズ、フレネルレンズといった一般的な球面レンズ以外のレンズであってもよい。また、プラスチックレンズであってもよい。
【００７４】
（８）実施形態１においては、視野変更部材５０は、フレネルタイプのプラスチックのプリズムプレートであったが、本発明はこれに限定されるものではない。例えば、視野変更部材がフレネルタイプのプリズムプレートではなくブロック状のプリズムであってもよいし、ガラスの部材であってもよい。また、視野変更部材が、屈曲レンズ、ハーフミラー、ミラーであってもよい。
【００７５】
（９）実施形態１においては、視野変更部材５０は、プレートルーペ４０の左側の周辺部を覆って外側（左側）へ視野を広げたが、本発明はこれに限定されるものではない。例えば、下側の周辺視野を広げたい場合には下側に視野変更部材を配置すればよいし、左右両側の周辺視野を広げたい場合には左右両側２か所に視野変更部材を配置すればよい。
【００７６】
（１０）実施形態１においては、視野変更部材支持具６０は、視野変更部材保持部６３に視野変更部材５０を固定ねじによって保持している。また、実施形態２においては、第２プレートルーペ支持具１６０は、第２プレートルーペ保持部１６３に第２プレートルーペ１４０を固定ねじによって保持しているが、本発明はこれに限定されるものではない。例えば、視野変更部材保持部に爪が形成されており、視野変更部材保持部が視野変更部材５０の一部を爪に嵌め込むことで視野変更部材５０を保持するものであってもよい。また、第２プレートルーペ保持部に爪が形成されており、第２プレートルーペ保持部が第２プレートルーペ１４０の一部を爪に嵌め込むことで第２プレートルーペ１４０を保持するものであってもよい。
【００７７】
（１１）実施形態１における視野変更部材支持具６０または実施形態２における第２プレートルーペ支持具１６０は、レンズ鏡筒３０に取り付けられているが、本発明はこれに限定されるものではない。例えば、ブラケット１０に取り付けられていてもよい。
【００７８】
（１２）実施形態１における視野変更部材支持具６０または実施形態２における第２プレートルーペ支持具１６０は、レンズ鏡筒３０に対して回転することで視野変更部材５０または第２プレートルーペ１４０の使用位置と退避位置とを切り換えていたが、本発明はこれに限定されるものではない。例えば、視野変更部材支持具６０または第２プレートルーペ支持具１６０がレンズ鏡筒３０に対してスライドすることで、視野変更部材５０または第２プレートルーペ１４０の使用位置と退避位置とを切り換えるものであってもよい。また、視野変更部材支持具６０または第２プレートルーペ支持具１６０がレンズ鏡筒３０に対して着脱自在にすることで、視野変更部材５０または第２プレートルーペ１４０の使用位置と退避位置とを切り換えるものであってもよい。
【００７９】
（１３）実施形態１におけるプレートルーペ４０または実施形態２における第２プレートルーペ１４０は、薄板状のプラスチック凸レンズであったが、本発明はこれに限定されるものではない。例えば、プレートルーペがガラスであってもよいし、他の光学部品と組み合わせたときに拡大鏡を構成できれば、凹レンズであってよい。また、フレネルレンズであってもよい。
【００８０】
（１４）実施形態２においては、第２プレートルーペ１４０は、２つのレンズ１４１（１４１Ｌ，１４１Ｒ）が一体に形成されていたが、本発明はこれに限定されるものではない。例えば、左右のレンズを分離させた構成で、全体の幅、角度（特に内向き、外向き）を調節できるよう形成されていてもよい。
【００８１】
（１５）実施形態１においては、アーム７２は、多関節アームであったが、使用用途に応じて使用者が先端部７２ａを所望の位置に移動できればよく、本発明はこれに限定されるものではない。例えば、関節にフレキシブルジョイントを採用し、１の関節でも高い自由度で先端部を移動させる構成であってもよい。
【００８２】
（１６）実施形態１に係る双眼ルーペ装置１は、アーム７２の配線挿通部７２ｃに照明機器８０の電気ケーブル８０ａおよび撮像装置９０の電気ケーブル９０ａを挿通することで配線処理されているが、配線が観察の邪魔にならない効果を得るために、次の変形例も有効である。この変形例は、図４（ｃ）に示すように、アーム１７２に沿わして照明機器８０の電気ケーブル８０ａまたは撮像機器９０の電気ケーブル９０ａを固定するための配線固定部１７２ｃを設けるものである。配線固定部１７２ｃは、配線を固定できれば特に限定されるものではないが、例えばケーブルを着脱自在なケーブルバンドであってもよい。
【００８３】
（１７）実施形態１に係る双眼ルーペ１０は、双眼ルーペ装置１において、スタンド７１によってフロアに設置されていたが、本発明はこれに限定されるものではない。例えば、ブラケットに耳かけを取り付け、眼鏡のように使用者に装着するものであってもよい。
【符号の説明】
【００８４】
１…双眼ルーペ装置、１０，１１０…双眼ルーペ、２０…ブラケット、２１…レンズ鏡筒取付部、２２…プレートルーペ取付部、２３…繋ぎ部、２４…機器取付部、３０（３０Ｌ，３０Ｒ）…レンズ鏡筒、４０…プレートルーペ、４１（４１Ｌ，４１Ｒ）…（プレートルーペの）レンズ、４３…切り欠きまたは穴、５０…視野変更部材、６０…視野変更部材支持具、７０…設置台、７１…スタンド、７２，１７２…アーム、７２ａ，１７２ａ…（アームの）先端部、７２ｃ…配線挿通部、１７２ｃ…配線固定部、７３…アームステー、８０…照明機器、８０ａ…（照明機器の）電気ケーブル、９０…撮像機器、９０ａ…（撮像機器の）電気ケーブル、１４０…第２プレートルーペ、１６０…第２プレートルーペ支持具、Ｊ１〜Ｊ４…（アームの）関節
【図１】
2019184805.tif 000003
【図２】
2019184805.tif 000004
【図３】
2019184805.tif 000005
【図４】
2019184805.tif 000006
【図５】
2019184805.tif 000007
【図６】
2019184805.tif 000008
【図７】
2019184805.tif 000009
【図８】
2019184805.tif 000010